(57)【要約】【課題】  各種口座開設等の申込み先の住所、宛名等を改竄し難い封筒用帳票を提供することである。【解決手段】  封筒の裏面を構成する第１紙片と、封筒の表面を構成する第２紙片と、前記封筒の表面を少なくとも隠蔽する第３紙片とを備えた封筒用帳票であって、前記第１紙片と前記第２紙片とは一方の側端縁側を除く三周辺がコの字状接着部で接着され、前記コの字状接着部の前記一方の側端縁側の外縁近傍の前記第１紙片ないし前記第２紙片に第１ミシン目線が設けられると共に前記コの字状接着部の他方の側端縁側の外縁近傍の前記第１紙片と前記第２紙片とに上下方向に一致する第２ミシン目線が設けられ、少なくとも前記コの字状接着部で囲まれた領域を被覆するように接着手段を介して前記第２紙片上に前記第３紙片が設けらていることを特徴とする封筒用帳票。【選択図】        図４
2006347567.tif 000002
【特許請求の範囲】
【請求項１】
封筒の裏面を構成する第１紙片と、封筒の表面を構成する第２紙片と、前記封筒の表面を少なくとも隠蔽する第３紙片とを備えた封筒用帳票であって、前記第１紙片と前記第２紙片とは一方の側端縁側を除く三周辺がコの字状接着部で接着され、前記コの字状接着部の前記一方の側端縁側の外縁近傍の前記第１紙片ないし前記第２紙片に第１ミシン目線が設けられると共に前記コの字状接着部の他方の側端縁側の外縁近傍の前記第１紙片と前記第２紙片とに上下方向に一致する第２ミシン目線が設けられ、少なくとも前記コの字状接着部で囲まれた領域を被覆するように接着手段を介して前記第２紙片上に前記第３紙片が設けらていることを特徴とする封筒用帳票。
【請求項２】
封筒の裏面を少なくとも構成する第１紙片と、封筒の表面を少なくとも構成する第２紙片と、前記封筒の表面を少なくとも隠蔽する第３紙片とを少なくとも備えた封筒用帳票であって、前記第１紙片と前記第２紙片とは前記一方の側端縁に未接着領域を備え、前記第２紙片の前記コの字状接着部近傍の前記未接着領域に前記一方の側端縁に平行に前記第１ミシン目線が設けられ、該第１ミシン目線近傍の前記一方の側端縁側と前記第２ミシン目線の前記他方の側端縁側とに前記接着手段としての第１接着部と第２接着部とが側端縁に平行に設けられると共に前記第３紙片に前記第２ミシン目線と上下方向に一致する第２’ミシン目線が設けられていることを特徴とする請求項１記載の封筒用帳票。
【請求項３】
前記未接着領域の前記第１紙片の前記第２紙片側の面に両面粘着テープが貼着されていることを特徴とする請求項２記載の封筒用帳票。
【請求項４】
封筒の裏面を少なくとも構成する第１紙片と、封筒の表面を少なくとも構成する第２紙片と、前記封筒の表面を少なくとも隠蔽する第３紙片とを少なくとも備えた封筒用帳票であって、前記第１紙片と前記第２紙片とは一方の側端縁に未接着領域を備え、前記第１紙片の前記コの字状接着部近傍の前記未接着領域に前記一方の側端縁に平行に第３ミシン目線が設けられ、前記第２紙片の前記未接着領域と前記第２ミシン目線の前記他方の側端縁側とに前記接着手段としての第１接着部と第２接着部とが側端縁に平行に設けられると共に前記第３紙片に前記第２ミシン目線と上下方向に一致する第２’ミシン目線が設けられていることを特徴とする請求項１記載の封筒用帳票。
【請求項５】
前記未接着領域の前記第２紙片の前記第１紙片側の面に両面粘着テープが貼着されていることを特徴とする請求項４記載の封筒用帳票。
【請求項６】
前記第１紙片の前記他方の側端縁に設けた第３接着部で申込書片が接着固定されると共に第４ミシン目線で切取可能になされていることを特徴とする請求項１〜５のいずれかに記載の封筒用帳票。
【請求項７】
前記申込書片が複数枚からなり、前記第４ミシン目線の近傍に設けた第４接着部で複数枚の前記申込書片が分離可能に接着されて一体化されていることを特徴とする請求項６記載の封筒用帳票。
【発明の詳細な説明】
【技術分野】
【０００１】
本発明は、各種口座開設等の申込みにおいて用いられる封筒用帳票に関し、さらに詳しくは、各種口座開設等の申込み先の住所、宛名等が改竄され難く、個人情報が第３者に漏洩し難い封筒用帳票に関するものである。
【背景技術】
【０００２】
従来、銀行等の各種預金口座、公共料金自動払い、カード発行等の申込みを行うための申込書は、申込書、記入例、案内パンフレット、申込書を申込み先に郵送するための封筒等を一纏めにして、中が透視できる透明なプラスチックフィルムに入れて、店頭、あるいは、キャッシュディスペンサー等のコーナーに設置するなりして誰でも自由に持ち帰ることができるようになっている。
【０００３】
しかしながら、上記した構成からなる申込書では、申込書、記入例、案内パンフレット、封筒等がそれぞれ別個に作製されるために、形状やサイズ等がまちまちであり、透明なプラスチック袋に封入する作業は殆ど手作業に頼っており、作業能率が悪くコストアップを招いていた。また、封入物がバラバラであるために封入のし忘れ等が発生した場合、あるいは、店頭やキャッシュディスペンサー等のコーナーに設置している間に、第３者が封入物を取り出して元に戻さなかったり、封入物の一部を抜き取ったりした場合には申込書としての目的を達成することができないという問題を抱えていた。
【０００４】
そこで、出願人は、先に、顧客が使用するまでの間に散逸することがなく、製造に手作業が伴うことがない安価な封筒一体型申込書を提案した（たとえば、特許文献１参照）。この特許文献１に開示した技術は、案内紙片と申込書と封筒とが一体的に綴じられた構成からなるために、散逸することがなく、また、印刷機、丁合機等の生産機械で製造することができると共に顧客の利便性が向上するなどの優れた効果を達成することができたが、特許文献１で提案した封筒一体型申込書は申込書を封入する封筒の表面、すなわち、各種口座開設等の申込み先の住所、宛名等が印刷ないし印字等により設けられる封筒の表面が露出した構成となるために、各種口座開設等の申込みをする顧客の個人情報を得ようとする悪意のある第３者が、たとえば、各種口座開設等の申込み先の正しい住所、宛名等と異なる住所、宛名等を印刷ないし印字したタックラベルを封筒の表面に予め印刷ないし印字して設けた正しい住所、宛名等を設けた封筒の表面に貼着することが容易にできるために、このように改竄された住所、宛名等が設けられた封筒を使って申込書を顧客が郵送してしまい、結果として個人情報が悪意のある第３者に漏洩してしまう虞があり、このような個人情報が第３者に漏洩し難い各種口座開設等の申込書を封入する封筒用帳票が要望されていた。
【特許文献１】特開平１０−７２０３９号公報
【発明の開示】
【発明が解決しようとする課題】
【０００５】
そこで本発明は、各種口座開設等の申込書を封入して郵送する封筒用帳票であって、予め各種口座開設等の申込み先の住所、宛名等が印刷ないし印字された封筒の表面が露出することなく隠蔽されていて、各種口座開設等の申込み先の住所、宛名等を改竄し難い封筒用帳票を提供することであり、さらには、封筒と各種口座開設等の申込書が一体的に綴じられ、予め各種口座開設等の申込み先の住所、宛名等が印刷ないし印字された封筒の表面が露出することなく隠蔽されていて、各種口座開設等の申込み先の住所、宛名等を改竄し難い封筒用帳票を提供することである。さらには、申込者の利便性に優れる封筒用帳票を提供することである。
【課題を解決するための手段】
【０００６】
本発明者は、上記課題を達成するために、請求項１記載の本発明は、封筒の裏面を構成する第１紙片と、封筒の表面を構成する第２紙片と、前記封筒の表面を少なくとも隠蔽する第３紙片とを備えた封筒用帳票であって、前記第１紙片と前記第２紙片とは一方の側端縁側を除く三周辺がコの字状接着部で接着され、前記コの字状接着部の前記一方の側端縁側の外縁近傍の前記第１紙片ないし前記第２紙片に第１ミシン目線が設けられると共に前記コの字状接着部の他方の側端縁側の外縁近傍の前記第１紙片と前記第２紙片とに上下方向に一致する第２ミシン目線が設けられ、少なくとも前記コの字状接着部で囲まれた領域を被覆するように接着手段を介して前記第２紙片上に前記第３紙片が設けらていることを特徴とするものである。
【０００７】
また、請求項２記載の本発明は、請求項１記載の封筒用帳票において、封筒の裏面を少なくとも構成する第１紙片と、封筒の表面を少なくとも構成する第２紙片と、前記封筒の表面を少なくとも隠蔽する第３紙片とを少なくとも備えた封筒用帳票であって、前記第１紙片と前記第２紙片とは前記一方の側端縁に未接着領域を備え、前記第２紙片の前記コの字状接着部近傍の前記未接着領域に前記一方の側端縁に平行に前記第１ミシン目線が設けられ、該第１ミシン目線近傍の前記一方の側端縁側と前記第２ミシン目線の前記他方の側端縁側とに前記接着手段としての第１接着部と第２接着部とが側端縁に平行に設けられると共に前記第３紙片に前記第２ミシン目線と上下方向に一致する第２’ミシン目線が設けられていることを特徴とするものである。
【０００８】
また、請求項３記載の本発明は、請求項２記載の封筒用帳票において、前記未接着領域の前記第１紙片の前記第２紙片側の面に両面粘着テープが貼着されていることを特徴とするものである。
【０００９】
また、請求項４記載の本発明は、請求項１記載の封筒用帳票において、封筒の裏面を少なくとも構成する第１紙片と、封筒の表面を少なくとも構成する第２紙片と、前記封筒の表面を少なくとも隠蔽する第３紙片とを少なくとも備えた封筒用帳票であって、前記第１紙片と前記第２紙片とは一方の側端縁に未接着領域を備え、前記第１紙片の前記コの字状接着部近傍の前記未接着領域に前記一方の側端縁に平行に第３ミシン目線が設けられ、前記第２紙片の前記未接着領域と前記第２ミシン目線の前記他方の側端縁側とに前記接着手段としての第１接着部と第２接着部とが側端縁に平行に設けられると共に前記第３紙片に前記第２ミシン目線と上下方向に一致する第２’ミシン目線が設けられていることを特徴とするものである。
【００１０】
また、請求項５記載の本発明は、請求項４記載の封筒用帳票において、前記未接着領域の前記第２紙片の前記第１紙片側の面に両面粘着テープが貼着されていることを特徴とするものである。
【００１１】
また、請求項６記載の本発明は、請求項１〜５のいずれかに記載の封筒用帳票において、前記第１紙片の前記他方の側端縁に設けた第３接着部で申込書片が接着固定されると共に第４ミシン目線で切取可能になされていることを特徴とするものである。
【００１２】
また、請求項７記載の本発明は、請求項６記載の封筒用帳票において、前記申込書片が複数枚からなり、前記第４ミシン目線の近傍に設けた第４接着部で複数枚の前記申込書片が分離可能に接着されて一体化されていることを特徴とするものである。
【発明の効果】
【００１３】
本発明の請求項１、２、４のいずれかに記載の封筒用帳票は、第２紙片に設けられた封筒の表面が接着手段を介して第３紙片により隠蔽されているために、封筒の表面に印刷ないし印字された各種口座開設等の申込み先の住所、宛名等の改竄を防止することができるという効果を奏する。
【００１４】
また、本発明の請求項３、５のいずれかに記載の封筒用帳票は、申込書を郵送する際の利便性に優れるという効果を奏する。
【００１５】
また、本発明の請求項６、７のいずれかに記載の封筒用帳票は、各種口座開設等の申込書が封筒と一体的に綴じられているために、使用される時まで申込書と封筒とが散逸することがないという効果を奏する。
【発明を実施するための最良の形態】
【００１６】
上記の本発明について、図面等を用いて以下に詳述する。
図１は本発明にかかる封筒用帳票の外観を示す（ａ）は表表紙側の平面図、（ｂ）は裏表紙側の平面図、図２は図１の封筒用帳票の表表紙と裏表紙とを構成する紙片を見開いた状態を示す平面図、図３は本発明にかかる封筒用帳票の第１実施形態を示す積層状態を図解的に示す断面図、図４は図３に示す第１実施形態の封筒用帳票の分解平面図、図５は本発明にかかる封筒用帳票の第２実施形態を示す積層状態を図解的に示す断面図、図６は本発明にかかる封筒用帳票の第３実施形態を示す図３に対応する図、図７は図６に示す第３実施形態の封筒用帳票の分解平面図であり、図中の１，１’，１”は封筒用帳票、２は両面粘着テープ、１１は第１紙片、１１Ａは表表紙、１１Ｂは裏表紙、１２は第２紙片、１３は第３紙片、１４は申込書片、２１はコの字状接着部、２２は第１接着部、２３は第２接着部、２４は第３接着部、２５は第４接着部、３１は第１ミシン目線、３２は第２ミシン目線、３２’は第２’ミシン目線、３３は第４ミシン目線、３４は第３ミシン目線、αは封筒の表面、βは封筒の裏面、Ｒは未接着領域、１１１は「新規口座開設」なる表題、１１２は「ＤＮＰ銀行」なる取扱い銀行名、１１３は差出人記入欄、１１４は折部をそれぞれ示す。
【００１７】
図１は本発明にかかる封筒用帳票の外観を示す（ａ）は表表紙側の平面図、（ｂ）は裏表紙側の平面図であって、封筒用帳票１は表表紙１１Ａに「新規口座開設」なる表題１１１と「ＤＮＰ銀行」なる取扱い銀行名１１２が印刷され、裏表紙１１Ｂに新規口座開設の申し込みを依頼する顧客が「住所」、「氏名」等を記入する差出人記入欄１１３が設けられている。表表紙１１Ａと裏表紙１１Ｂは折部１１４で折られている。なお、差出人記入欄１１３を構成する裏表紙１１Ｂは後述する封筒の裏面βを構成するものである。また、図１において符号１１５は後述する第２ミシン目線３２である。
【００１８】
図２は図１の封筒用帳票の表表紙１１Ａと裏表紙１１Ｂとを構成する紙片を見開いた状態を示す平面図であって、表表紙１１Ａと裏表紙１１Ｂとは折部で連接し、表表紙１１Ａの折部１１４と対向する側は幅広に構成された紙片（後述する第１紙片１１）からなり、幅広に構成された部分が折り畳まれて表表紙１１Ａと裏表紙１１Ｂの間に挟み込まれて図１に示す形態となる。
【００１９】
図３は本発明にかかる封筒用帳票の第１実施形態を示す積層状態を図解的に示す断面図、図４は図３に示す第１実施形態の封筒用帳票の分解平面図であって、封筒用帳票１は
図２に示した紙片を図２において上下方向に１８０度反転させた状態からなる封筒の裏面βを構成する第１紙片１１と、口座開設等の申込み先の住所、宛名等が印刷ないし印字された封筒の表面αを少なくとも構成する第２紙片１２と、前記封筒の表面αを少なくとも隠蔽する第３紙片１３とからなり、前記第１紙片１１と前記第２紙片１２とは一方の側端縁（図３、４上、左側端縁）に未接着領域Ｒを備えると共に前記一方の側端縁側を除く三周辺がコの字状接着部２１で接着され、前記第２紙片１２の前記コの字状接着部２１近傍の前記未接着領域Ｒに前記一方の側端縁に平行に第１ミシン目線３１が設けられると共に前記コの字状接着部２１の他方の側端縁側の外縁近傍の前記第１紙片と前記第２紙片とに上下方向に一致する第２ミシン目線３２が設けられ、前記第１ミシン目線３１近傍の前記一方の側端縁側に前記一方の側端縁に平行に設けた第１接着部２２と前記第２ミシン目線３２の前記他方の側端縁側に該他方の側端縁に平行に設けた第２接着部２３とにより前記第２紙片１２上に前記第３紙片１３が接着されると共に前記第３紙片１３に前記第２ミシン目線３２と上下方向に一致する第２’ミシン目線３２’が設けられ、さらに前記未接着領域Ｒの前記第１紙片１１の前記第２紙片１２側の面に両面粘着テープ２が貼着されているものである。このように構成された封筒用帳票１は、たとえば、別途用意された申込書等と一纏めにして、中が透視できる透明なプラスチックフィルムに入れて、店頭、あるいは、キャッシュディスペンサー等のコーナーに設置され、口座開設等の申込みをする顧客は、たとえば、自宅に持ち帰り、申込書に必要事項を記載した後に、第３紙片１３を剥がし取ると共に前記第２紙片１２の前記未接着領域Ｒの部分を前記ミシン目線３１で切り取り、この切り取った箇所から申込書を前記第１紙片１１と前記第２紙片１２間に挿入し、前記第１紙片１１に設けた両面粘着テープ２を剥離して粘着面を露出させ、この粘着面を前記第２紙片１２の端縁で折り返して前記第２紙片１２上に貼着することにより封緘することができ、さらに前記ミシン目線１３で切り取ってポスト等に投函することにより、口座開設等の申込み作業が完了する。なお、図３、４においては、前記第２紙片１２と前記第３紙片１３とを前記第１接着部２２と前記第２接着部２３とで接着した構成を示したが、前記第１接着部２２と前記第２接着部２３に直交する方向の両端縁の前記第１ミシン目線３１と前記第２ミシン目線３２との間に、図示はしないが、１ないし複数の点状ないし直線状の接着部を設けて四周縁を接着した構成としてもよいものである。このように構成することにより、一層、口座開設等の申込み先の住所、宛名等の改竄をし難いものとすることができる。
【００２０】
図５は本発明にかかる封筒用帳票の第２実施形態を示す積層状態を図解的に示す断面図であって、封筒用帳票１’は図３、４に示した第１実施形態の封筒用帳票１の前記第１紙片１１の他方の側端縁に設けた第３接着部２４で複数枚（図５、６上は３枚）の申込書片１４が接着固定されると共に第４ミシン目線３３で切り取りできるように構成されているものであり、これ以外は図３、４に示した第１実施形態と同じである。このように構成した封筒用帳票１’は第１実施形態の封筒用帳票１に比べて申込書片１４が帳票１’に一体化されているため、封筒と申込書片１４との散逸を防止することができる。口座開設等の申込み方法は、申込書片１４が一体化された封筒用帳票１’であること以外は実施形態１と同様に行えばよいものである。また、図５において、前記ミシン目線３３を設けた近傍の前記一方の側端縁側に第４接着部２５を設けて前記申込書片１４を分離可能に接着して一体化してもよいものである。
【００２１】
図６は本発明にかかる封筒用帳票の第３実施形態を示す図３に対応する図、図７は図６に示す第３実施形態の封筒用帳票の分解平面図であって、封筒用帳票１”は封筒の裏面β（図１参照）を少なくとも構成する第１紙片１１と、封筒の表面αを少なくとも構成する第２紙片１２と、前記封筒の表面αを少なくとも隠蔽する第３紙片１３とからなり、前記第１紙片１１と前記第２紙片１２とは一方の側端縁（図６、７上、左側端縁）に未接着領域Ｒを備えると共に前記一方の側端縁側を除く三周辺がコの字状接着部２１で接着され、前記第１紙片１１の前記コの字状接着部２１近傍の前記未接着領域Ｒに前記一方の側端縁に平行に第３ミシン目線３４が設けられると共に前記コの字状接着部２１の他方の側端縁側の外縁近傍の前記第１紙片と前記第２紙片とに上下方向に一致する第２ミシン目線３２が設けられ、前記第２紙片１２の前記未接着領域Ｒと前記第２ミシン目線３２の前記他方の側端縁側とに側端縁に平行に設けた第１接着部２２と第２接着部２３とにより前記第２紙片１２上に前記第３紙片１３が接着されると共に前記第３紙片１３に前記第２ミシン目線３２と上下方向に一致する第２’ミシン目線３２’が設けられ、さらに前記未接着領域Ｒの前記第２紙片１２の前記第１紙片１１側の面に両面粘着テープ２が貼着されているものである。このように構成した封筒用帳票１”は、封筒とする際に、前記第１紙片１１の前記未接着領域Ｒの部分を前記ミシン目線３４で切り取り、前記第２紙片１２に貼着された両面粘着テープを剥離して粘着面を露出させ、この粘着面を前記第１紙片１１の端縁で折り返して前記第１紙片１１上に貼着しすることにより封緘することができ、封緘部が封筒の裏面β〔図１（ｂ）参照〕となるために実施形態１に比べて外観の体裁のよいものとすることができる。なお、図６、７においては、前記第２紙片１２と前記第３紙片１３とを前記第１接着部２２と前記第２接着部２３とで接着した構成を示したが、前記第１接着部２２と前記第２接着部２３に直交する方向の両端縁の前記第１接着部２２と前記第２ミシン目線３２との間に、図示はしないが、１ないし複数の点状ないし直線状の接着部を設けて四周縁を接着した構成としてもよいものである。このように構成することにより、一層、口座開設等の申込み先の住所、宛名等の改竄をし難いものとすることができる。
【００２２】
本発明の封筒用帳票１、１’、１”は、口座開設等の申込み先の住所、宛名等が印刷ないし印字された封筒の表面αが前記第１接着部２２と第２接着部２３で接着された第３紙片により隠蔽されているために改竄し難く、改竄するために前記第１接着部２２ないし前記第２接着部２３を剥がすと改竄したことが容易に判別することができ、封筒の表面αに印刷ないし印字された各種口座開設等の申込み先の住所、宛名等の改竄を防止することができるという効果を奏する。
【００２３】
今までは改竄し難い封筒用帳票および申込書を一体的に設けた封筒用帳票について説明してきたが、本発明の封筒用帳票の構成としては、これに限ることはなく、たとえば、各種商品の紹介、口座取引に関する各種規定、あるいは、口座申込書の記入例等の紙片を丁合して、これらを一体化した封筒用帳票としてもよいものである。
【図面の簡単な説明】
【００２４】
【図１】本発明にかかる封筒用帳票の外観を示す（ａ）は表表紙側の平面図、（ｂ）は裏表紙側の平面図である。
【図２】図１の封筒用帳票の表表紙と裏表紙とを構成する紙片を見開いた状態を示す平面図である。
【図３】本発明にかかる封筒用帳票の第１実施形態を示す積層状態を図解的に示す断面図である。
【図４】図３に示す第１実施形態の封筒用帳票の分解平面図である。
【図５】本発明にかかる封筒用帳票の第２実施形態を示す積層状態を図解的に示す断面図である。
【図６】本発明にかかる封筒用帳票の第３実施形態を示す図３に対応する図である。
【図７】図６に示す第３実施形態の封筒用帳票の分解平面図である。
【符号の説明】
【００２５】
１，１’，１”                          封筒用帳票
２                                      両面粘着テープ
１１                                    第１紙片
１１Ａ                                  表表紙
１１Ｂ                                  裏表紙
１２                                    第２紙片
１３                                    第３紙片
１４                                    申込書片
２１                                    コの字状接着部
２２                                    第１接着部
２３                                    第２接着部
２４                                    第３接着部
２５                                    第４接着部
３１                                    第１ミシン目線
３２                                    第２ミシン目線
３２’                                  第２’ミシン目線
３３                                    第４ミシン目線
３４                                    第３ミシン目線
α                                      封筒の表面
β                                      封筒の裏面
Ｒ                                      未接着領域
１１１                                  「新規口座開設」なる表題
１１２                                  「ＤＮＰ銀行」なる取扱い銀行名
１１３                                  差出人記入欄
１１４                                  折部
【図１】
2006347567.tif 000003
【図２】
2006347567.tif 000004
【図３】
2006347567.tif 000005
【図４】
2006347567.tif 000006
【図５】
2006347567.tif 000007
【図６】
2006347567.tif 000008
【図７】
2006347567.tif 000009